(57)【要約】      （修正有）【課題】比較的に低い表面張力を有する液体に対して、構成要素を不浸透性にすることを意図する疎水性表面コーティングにより処置された、１つ又はそれ以上のこうした構成要素を包含する吸収性物品を提供する。【解決手段】バックシート又は追加的物品構成要素の少なくとも１つが表面上に疎水性表面コーティングされ、コーティングが少なくとも１５，０００ＭＷの分子量を有する少なくとも２つの自己架橋するシリコーンポリマー溶液を含み、前記シリコーンポリマー溶液がメチルヒドロジェンジメチルシロキサンまたはヒドロキシル末端ポリジメチルシロキサン（hydroxyl-terminated polydimethylsiloxanes）と組み合わされたビニル末端ポリジメチルシロキサン（vinyl-terminated polydimethylsiloxanes）を有し、前記コーティングがアミノシリコーンを含まない。【選択図】図１
2010137062.tif 000002
【特許請求の範囲】
【請求項１】
ａ．内側表面及び外側表面を有する液体透過性第１トップシート；
ｂ．内側表面及び外側表面を有するバックシートであって、前記バックシートが前記トップシートに周辺部に沿って取り付けられるバックシート；
ｃ．前記トップシートと前記バックシートとの間に配置される吸収性コア；
ｄ．コアカバー、おむつ外カバー、耳（ear）、第１カフ、第２カフ、ベルト、羽根、伸縮性トップシート、及びこれらの組み合わせから成る群から選択される追加的物品構成要素であって；前記構成要素が内側表面及び外側表面を有する追加的物品構成要素；並びに
ｅ．前記バックシート又は前記追加的物品構成要素の少なくとも１つの表面上に配置される疎水性表面コーティングであって、前記疎水性表面コーティングがコーティングされる表面の少なくとも一部に膜を形成して前記表面の障壁特性を高め、前記コーティングが少なくとも１５，０００ＭＷの分子量を有する少なくとも２つの自己架橋するシリコーンポリマー溶液を含み、前記シリコーンポリマー溶液がメチルヒドロジェンジメチルシロキサンまたはヒドロキシル末端ポリジメチルシロキサン（hydroxyl-terminated polydimethylsiloxanes）と組み合わされたビニル末端ポリジメチルシロキサン（vinyl-terminated polydimethylsiloxanes）を有し、前記コーティングがアミノシリコーンを含まない、疎水性表面コーティング；
を具備する、吸収性物品。
【請求項２】
前記コーティングが、前記バックシート又は前記追加的物品構成要素の前記内側表面上に配置される、請求項１に記載の物品。
【請求項３】
前記コーティングが、平均液体裏抜け時間を、処理されていない構成要素の平均液体裏抜け時間より少なくとも２秒増加させる、請求項１に記載の物品。
【請求項４】
前記コーティングが配置される前記物品構成要素が、ポリジメチルシロキサン、ゲルベ（guerbet）エステル、及びこれらの組み合わせから成る群から選択される融解添加物を含有するポリマーを含まない、請求項１に記載の物品。
【請求項５】
前記物品が、幼児の臍への位置合わせのためにウエスト機構に切り抜きを更に具備する、請求項１に記載の物品。
【請求項６】
前記追加的物品構成要素は第１カフであり、前記カフは前記バックシートとトップシートの周辺部に配置されている請求項１に記載の物品。
【発明の詳細な説明】
【技術分野】
【０００１】
（関連出願の相互参照）
本特許出願は、２００４年２月１１日に出願された米国仮出願番号６０／５４３，７８５の利益を主張する。
【０００２】
（発明の分野）
本発明は、相対的に低い表面張力を有する液体に対して、構成要素を不浸透性にすることを意図する疎水性表面コーティングにより処置された、１つ又はそれ以上のこうした構成要素を包含する吸収性物品に関する。
【背景技術】
【０００３】
おむつ、トレーニングパンツ、生理用ナプキン、パンティライナー、及び成人失禁用物品のような使い捨て吸収性物品を消費者が使用する主目的は、身体滲出物を吸収及び収容することである。この目的から考えると、物品が皮膚に接触する点からの漏れの結果として、又は吸収性物品を構成する材料を通過した漏出から、こうした身体滲出物が物品の境界線から脱け出すという場合が非常に多い。後者の事例は、多くの場合、物品の材料がこうした体液への有効な障壁としての役割を果たせないことにより生じる。
【０００４】
漏れ及び／又は不適切な収容の望ましくない効果として、困難な後始末、及び／又は残留物の皮膚汚染が、おむつ中に付着した糞便物質に関して特に顕著である。おむつに収容された糞便は、着用者の皮膚を時間と共に傷める可能性があり、及びおむつから漏れる糞便のために、不愉快な汚い後始末に当面することは、ほぼ避けられない。したがって、トップシートを横切る糞便物質の移動を制限するために、及び／又はおむつに糞便物質をより良好に閉じ込めるために、障壁、ポケット、スペーサー、横方向の障壁、孔あきトップシートなどの機構をおむつに加える幾つかの試みが行われてきた。こうした試みはこれらの問題の根本的な原因（即ち、糞便の特性）に対処していないために、及びその費用及び複雑性のために、概ね不成功であった。更に、糞便を隔離する又は収容するための手段の多くは、一定の物理的特性（例えば、粘度、遊離水の含有量、及び粒度）を有する糞便物質に関するもので、非常に狭い範囲外にある物理的特性を有する滲出物には有効でない。
【先行技術文献】
【特許文献】
【０００５】
【特許文献１】特開２００１−３２７５３３号公報
【発明の概要】
【０００６】
それ故に、特に糞便の取り扱いのための、改善された低表面エネルギー流体取り扱い能力を有する吸収性物品を提供することは望ましい。更に、着用者又は介護人への、糞便又は他の粘稠な体外排泄物のマイナスの影響を最小にする能力を有する経済的な使い捨て物品を提供することは、有利である。物品を構成する材料と化学的に又は物理的に相互作用するように、並びに生じる場合がある漏れ及び／又は漏出の量を低減するように設計された物品を提供することはまた有利である。
【０００７】
上記の問題の少なくとも幾つかの解決に役立つために、本発明は次のものを具備する物品を提供する：
ａ．内側表面及び外側表面を有する液体透過性第１トップシート；
ｂ．内側表面及び外側表面を有するバックシートであって、前記バックシートが前記トップシートに周辺部に沿って取り付けられるバックシート；
ｃ．前記トップシートと前記バックシートとの間に配置される吸収性コア；
ｄ．コアカバー、おむつ外カバー、耳（ear）、第１カフ、第２カフ、ベルト、羽根、伸縮性トップシート、及びこれらの組み合わせから成る群から選択される追加的物品構成要素であって；前記構成要素が内側表面及び外側表面を有する追加的物品構成要素；並びに
ｅ．前記バックシート又は前記追加的物品構成要素の少なくとも１つの表面上に配置される疎水性表面コーティングであって、その際前記コーティングが、１つ又はそれ以上のシリコーンポリマーを含み、及び前記コーティングがアミノシリコーンを実質的に含まない疎水性表面コーティング。
【図面の簡単な説明】
【０００８】
【図１】本発明の吸収性物品の平面図。
【図２】本発明の吸収性物品の斜視図。
【図３】図２に描かれた吸収性物品の断面図。
【図４】本発明の疎水性表面コーティングによる処置前の、本発明の物品の構成要素を図解。
【図５】本発明による疎水性表面コーティングにより処置された、本発明の物品の構成要素を図解。
【図６】本発明による別の疎水性表面コーティングにより処置された、本発明の物品の構成要素を図解。
【図７】斜視図を介して本発明の別の実施形態を図解し、その際、疎水性表面コーティングは、吸収性物品の少なくとも伸縮性トップシートに適用。
【発明を実施するための形態】
【０００９】
本発明について、ここで詳細に記載されるのは、請求された主題の解釈を助けることを意図する様々な定義である。
【００１０】
本明細書で使用する時、用語「吸収性物品」とは、身体滲出物を吸収及び収容する装置を指し、より具体的には、着用者の身体に付けて又は近接して配置されて、身体から排出される様々な滲出物を吸収及び収容する装置を指す。こうした装置には、これらに限定されないが、おむつ、トレーニングパンツ、成人失禁用製品、生理用ナプキン、及びパンティライナーが挙げられる。
【００１１】
本明細書で使用する時、用語「おむつ」とは、一般に幼児及び失禁者が、着用者の胴体下部周りに着用する吸収性物品を指す。換言すれば、用語「おむつ」は、幼児用おむつ、トレーニングパンツ、成人失禁用装置などを包含する。
【００１２】
本明細書で使用する時、用語「使い捨て」とは、洗濯する、又は吸収性物品として修復若しくは再使用することを一般に意図されない（即ち、それらは、１回の使用後に廃棄されるか、好ましくは、リサイクルされるか、堆肥化されるか、又はそうでなければ環境に適応した方式で処分されることを意図される）吸収性物品を指す。
【００１３】
本明細書で使用する時、用語「テロマー」とは、分子の成長がラジカル供給連鎖移動剤により終了される、通常低分子量の付加ポリマー、又は連鎖様分子の末端部の末端基が側基と同じではない低分子量ポリマーを指す。テロマーはまた、オリゴマーの同意語として用いられてもよく、オリゴマーは非常に少数（２〜１０）の繰り返し単位を有するポリマーである。
【００１４】
本明細書で使用する時、用語「配置された」とは、おむつの要素（類）が、おむつの他の要素と共に単一の構造体として、又はおむつの別の要素へ接合される別個の要素として、特定の場所又は位置に形成される（接合される又は位置付けられる）ことを意味するために用いられる。
【００１５】
本明細書で使用する時、用語「接合した」とは、ある要素を他の要素に直接固着することにより別の要素に直接固定する構成と、ある要素を中間部材（類）に固着して、次にその中間部材を他の要素に固着することにより別の要素に間接的に固定する構成とを包含する。
【００１６】
「単一の」吸収性物品は、結合した別個の部分から形成され、調和した統一体を形成しているので、別個のホルダー及びライナーのような別個の操作部分を必要としない吸収性物品を指す。
【００１７】
本明細書で使用する時、用語「含む」とは、本発明の実施に際して、様々な構成要素、成分、又は工程を組み合わせて使用できることを意味する。それ故に、用語「含む」は、より制限的な用語「から本質的に成る」及び「から成る」を包含する。
【００１８】
本明細書で用いるすべてのパーセンテージ、比率、及び割合は、特に指定のない限り、重量基準である。
【００１９】
（吸収性物品）
本発明の使い捨て吸収性物品は、液体透過性の第１トップシート、トップシートに取り付けられた又は接合されたバックシート、及びトップシートとバックシートとの間に位置付けられる吸収性コアを具備する。使い捨て吸収性物品及びそれらの構成要素であって、トップシート、バックシート、吸収性コア、及びこれらの構成要素のいずれかの個々の層を包含する構成要素は、内側表面（身体面）及び外側表面（又は衣類面）を有する。本明細書で使用する時、「内側表面」又は「身体面」とは、着用者の身体に向かって若しくは隣接して着用されるように意図された物品又は構成要素の表面を意味し、一方、「外側表面」又は「衣類面」とは反対側であり、及び使い捨て吸収性物品が着用される時に下着に向かって着用される又は下着に隣接して設置されるように意図されている。
【００２０】
次の記載は、使い捨て吸収性物品に有用な吸収性コア、第１トップシート、及びバックシート材料について、一般に論じられる。この概要は、図１に示され及び更に以下に記載される、具体的な吸収性物品のこうした構成要素に当てはまり、加えて、本明細書で概説される他の使い捨て吸収性物品の構成要素にも当てはまることが理解される。
【００２１】
図１は、おむつ５０の構造をより明瞭に示すために切り取られた構造体の一部を有し、及び着用者から見て外側に向くおむつ５０の部分、観察者の方に向いた外側表面を有する、本発明のおむつ５０のその完全に引き伸ばされた（即ち、伸縮性により生じる収縮を引き伸ばされた）状態の平面図である。図１に示されるように、おむつ５０は、好ましくは、液体透過性第１トップシート５２０；トップシート５２０に接合された液体不透過性バックシート５３０；第１トップシート５２０とバックシート５３０との間に位置付けられる吸収性コア５４０を具備し、吸収性コア５４０は外側表面（又は衣類に面する表面）５４２、内側表面（又は身体に面する表面）５４４、側縁部５４６、ウエスト縁部５４８、及び耳（ears）５４９を有する。おむつ５０は、好ましくは更に、第１カフ５５０、第２カフ５１１、及び追加的カフ５１２を具備し；５６０と表記される伸縮性ウエスト機構の多プライ（本明細書においてウエストバンド又はベルトとも呼ばれる）；及び５７０と表記される一般に多プライの締着装置を具備する。
【００２２】
図１のおむつ５０は、外側表面５２、外側表面５２に向かい合う内側表面５４、第１ウエスト領域５６、第２ウエスト領域５８、及びおむつ５０の外側縁部により画定される周辺部５１を有することが示され、長手方向縁部は５５と表記され、及び末端縁部は５７と表記される。（おむつは、１対のウエスト領域及びこのウエスト領域の間の股領域を有するという観点から通常は記載されることを当業者は認識するであろうが、本出願では、専門用語を簡単にするために、おむつ５０は、股領域の部分として典型的には表記されるおむつの部分を包含するウエスト領域のみを有するとして記載される）。おむつ５０の内側表面５４は、使用時に着用者の身体に隣接して位置付けられるおむつ５０の部分を含む（即ち、内側表面５４は、一般に第１トップシート５２０の少なくとも一部分及び第１トップシート５２０に接合されてもよい他の構成要素により形成される）。外側表面５２は、着用者の身体から見て外側に位置付けられるおむつ５０の部分を含む（即ち、外側表面５２は、一般にバックシート５３０の少なくとも一部分及びバックシート５３０に接合されてもよい他の構成要素により形成される）。（本明細書で使用する時、着用者に面するおむつ５０の部分又はその構成要素はまた、身体に面する表面とも呼ばれる。同様に、着用者から見て外側に向く部分はまた、本明細書では衣類に面する表面とも呼ばれる。）第１ウエスト領域５６及び第２ウエスト領域５８は、それぞれ周辺部５１の末端縁部５７から、おむつ５０の横中心線５３まで伸びる。図１はまた、長手方向中心線５９を示す。
【００２３】
図２は、本発明の物品の斜視図を示し、これは少なくとも第１及び第２カフを包含し、バックシート及び追加的構成要素の少なくとも１つは、疎水性表面コーティングにより処置されている。図３は、単に、図２に示されるおむつの断面図を描いている。
【００２４】
（吸収性コア）
吸収性コア５４０は、おむつ５０と適合性のあるいずれの大きさ又は形状を取ってもよい。おむつ５０の１つの好ましい実施形態は、第１ウエスト領域に耳（ears）を有するが、第２ウエスト領域ではほぼ長方形の形状を有する非対称の改善されたＴ字形の吸収性コア５４０を有する。広く支持され及び商業的成功を収めた、本発明の吸収性コアとして用いるための代表的な吸収性構造体は、米国特許第４，６１０，６７８号、第４，６７３，４０２号、第４，８８８，２３１号、及び第４，８３４，７３５号に記載されている。吸収性コアは更に、米国特許第５，２３４，４２３号及び第５，１４７，３４５号に詳細に記載されるように、吸収性貯蔵コア全体に位置付けられる化学的に剛化された繊維の獲得／分配コアを含有する２重コアシステムを具備してもよい。
【００２５】
一般に、吸収性コアは、液体（例えば、経血、尿、及び／又は他の身体滲出物）を吸収又は保持することができる。吸収性コアは、好ましくは、圧縮可能で、適合性があり、及び着用者の皮膚を刺激しない。吸収性コアは、吸収性物品において一般的に用いられる多種多様な液体吸収材料のいずれか、例えば一般にエアフェルトと呼ばれる粉砕木材パルプを包含してもよい。吸収性コアで用いるための他の好適な吸収材料の例としては、クレープセルロースの詰め綿；コフォームを包含するメルトブローポリマー；化学的に剛化された、修飾されるか又は架橋されたセルロース繊維；けん縮ポリエステル繊維のような合成繊維；ピートモス；ティッシュラップ及びティッシュラミネートを包含するティッシュ；吸収性発泡体；吸収性スポンジ；超吸収性ポリマー；吸収性ゲル材料；又はいずれかの同等の材料若しくは材料の組み合わせ、又はこれらの混合物が挙げられる。
【００２６】
吸収性コアの構成及び構造もまた変化してもよい（例えば、吸収性コアは、変化するキャリパー領域を有してもよいし及び／又は中央がより厚くなるような断面；親水性勾配；本発明の吸収性複合体の勾配；超吸収性勾配；若しくはより低い平均密度及びより低い平均坪量領域、例えば獲得領域を有してもよく；又は１つ又はそれ以上の層又は構造体を具備してもよい）。しかしながら吸収性コアの全体の吸収能力は、設計負荷、及び吸収性物品の意図される用途に適合するべきである。更に吸収性コアの大きさ及び吸収能力は、おむつ、失禁用パッド、パンティライナー、標準サイズの生理用ナプキン、及び夜用生理用ナプキンのような異なる用途に適応するために、及び幼児から成人までの範囲の着用者に適応するために変化してもよい。吸収性コアは、吸収性物品によく用いられる他の吸収性構成要素、例えばダスティング層、ウィッキング又は獲得層、又は着用者の快適さを高めるための第２（例えば、伸縮性）トップシートを包含することができる。
【００２７】
（トップシート）
おむつ５０の第１トップシート５２０は、好ましくは、液体（例えば、尿、経血、及び／又は流れやすい糞便）のトップシートを通過する迅速な移動を促進する親水性材料から作製される。第１トップシートが疎水性材料から作製される場合、液体がトップシートを通過してより迅速に移動するように、トップシートの少なくとも上面は親水性であるように処置される。これにより、身体滲出物が、トップシートを通過して引き込まれて吸収性コアに吸収されるよりも、トップシートから流出する可能性を低減する。第１トップシートは、界面活性剤によりそれを処置することにより、親水性にすることができる。トップシートを界面活性剤により処置するための好適な方法には、トップシート材料に界面活性剤を噴霧すること、及び材料を界面活性剤中に浸漬することが挙げられる。こうした処置及び親水性のより詳細な論議は、米国特許第４，９８８，３４４号及び米国特許第４，９８８，３４５号に収容されている。
【００２８】
トップシートは、好ましくは順応性があり、柔らかな感触で、及び着用者の皮膚を刺激しない。更に、トップシートは液体透過性であり、液体（例えば、経血、尿、及び／又は流れやすい糞便）はその厚さを容易に通過することができる。好適なトップシートは、織布材料及び不織布材料（例えば、繊維の不織布ウェブ）；開口成形熱可塑性フィルム、開口プラスチックフィルム、及びハイドロフォーミングされた熱可塑性フィルムなどのポリマー材料；多孔質発泡体；網状発泡体；網状熱可塑性フィルム；及び熱可塑性スクリムなどの広範囲の材料から製造されてもよい。好適な織布材料及び不織布材料は、天然繊維（例えば、木材繊維若しくは綿繊維）、合成繊維（例えば、ポリエステル繊維、ポリプロピレン繊維、若しくはポリエチレン繊維などのポリマー繊維）、又は天然繊維と合成繊維との組み合わせから構成されることができる。トップシートが不織布ウェブを含む時、ウェブは多数の既知の技法により製造されてもよい。例えば、ウェブは、スパンボンドされるか、毛羽立てられるか、湿式載置されるか、メルトブローされるか、水流交絡されるか、上記の組み合わせなどを施されてもよい。
【００２９】
更に、本発明による物品は、身体滲出物、特に排便のための貯蔵区画を提供するために伸縮性のあるトップシートを具備してもよい。こうしたトップシート及びそれらを含有する物品は、米国特許第６，４８２，１９１号に詳細に記載されている。こうした伸縮性のあるトップシート６００は図７に、本発明の追加的実施形態において示される。
【００３０】
（バックシート）
バックシートは、低表面張力流体（例えば、経血、尿、及び／又は流れやすい糞便）に対して好ましくは不透過性である。本明細書で使用する時、「低表面張力流体」とは、約７２ダイン／ｃｍ未満、好ましくは約６０ダイン／ｃｍ未満、及び更により好ましくは約５５ダイン／ｃｍ未満、及び最も好ましくは約２５〜約５５ダイン／ｃｍの表面張力を有する流体を指す。バックシートは、好ましくは、薄いプラスチックフィルムから製造されるが、他の可撓性液体不透過性材料もまた用いられてもよい。本明細書で使用する時、用語「可撓性」とは、順応性があり、並びにヒトの身体の概略の形状及び輪郭に容易に従う材料を指す。バックシートは、吸収性コアに吸収及び収容された滲出物が、吸収性物品に接触する物品、例えば、ベッドシーツ、パンツ、パジャマ及び下着を濡らすのを防ぐ。したがって、バックシートは、織布材料若しくは不織布材料、ポリエチレン若しくはポリプロピレンの熱可塑性フィルムのようなポリマーフィルム、又はフィルムコーティングされた不織布材料のような複合材料を含んでもよい。好適なバックシートは、約０．０１２ｍｍ（０．５ミル）〜約０．０５１ｍｍ（２．０ミル）の厚さを有するポリエチレンフィルムである。代表的なポリエチレンフィルムが、オハイオ州シンシナティのクロペイ社（Clopay Corporation）によりＰ１８−１４０１の表記で、及びインディアナ州テレホート（Terre Haute）のトレデガ−・フィルム・プロダクツ（Tredegar Film Products）によりＸＰ−３９３８５の表記で製造されている。バックシートは、好ましくは、エンボス加工及び／又はつや消し仕上げを施され、及びより布地様の外観を提供する。更に、バックシートは、滲出物がバックシートを通過するのをなお防ぐ一方で、蒸気を吸収性コアから逃がしてもよい（即ち、バックシートは通気性である）。バックシートの大きさは、吸収性コアの大きさ及び選択される正確な吸収性物品のデザインにより決定される。
【００３１】
バックシート及び第１トップシートはそれぞれ、吸収性コアの衣類面及び身体面に隣接して位置付けられる。吸収性コアは、当該技術分野において周知のもののような取り付け手段（図１には示されない）によって既知であるようないずれかの方式で、トップシート、バックシート、又は両方のシートに好ましくは接合される。しかしながら、本発明の実施形態は、吸収性コア全体の一部がトップシート及びバックシートの１つ、又は両方に取り付けられていない場合も想定する。
【００３２】
例えば、バックシート及び／又は第１トップシートは、接着剤の均一な連続層、接着剤の模様付き層、又は接着剤の多数の別個の線、螺旋、若しくは点の配列により、吸収性コアに又は互いに固定されてもよい。満足のいくものであることがわかっている接着剤は、ウィスコンシン州ミルウォーキーのボスティク−フィンドリー（Bostik-Findley）によりＨＬ−２４０１２０３１の表記で製造されている。取り付け手段は、好ましくは、米国特許第４，５７３，９８６号（ミネトーラ（Minetola）らに発行）に開示されるように、接着剤フィラメントの開放模様網状組織を含む。フィラメントの開放模様網状組織の代表的な取り付け手段は、米国特許第３，９１１，１７３号（スプレイグ・ジュニア（Sprague,Jr.）に発行）；米国特許第４，７８５，９９６号（ツウィーカー（Zwieker）らに発行）；及び米国特許第４，８４２，６６６号（ウェレニクツ（Werenicz）に発行）に示される装置及び方法により説明されるような螺旋模様に渦を巻いている接着剤フィラメントの幾つかの線を含む。あるいは、取り付け手段は、熱接着、圧力接着、超音波接着、動的機械的接着、若しくは他のいずれかの好適な取り付け手段、又は当該技術分野で既知のようにこれら取り付け手段の組み合わせを含んでもよい。
【００３３】
（追加的構成要素）
好ましい実施形態では、おむつ５０は更に、液体及びその他の身体滲出物の改善された収容を提供するために、少なくとも第１カフ５５０；改善された適合及び収容を提供する伸縮性ウエスト機構５６０；並びにおむつの外周の周囲に横向きの張力を保持しておむつを着用者の上に保持するように、第１ウエスト領域５６及び第２ウエスト領域５８を重ね合わせた構成に保持する横腹の閉鎖を形成する締着装置５７０を具備する。おむつ５０はまた、おむつ５０のより快適な及び体型に合った適合並びにより有効な適用を提供する伸縮自在に伸ばせる機構を提供するために、伸縮性サイドパネル（図示されず）をウエスト領域５６及び５８内に具備してもよい。
【００３４】
伸縮性レッグカフ５５０は、多数の異なる構成において作成でき、それには米国特許第３，８６０，００３号、第４，６３６，２０７号、第４，６９５，２７８号、第４，７０４，１１５号、第４，７９５，４５４号、第４，９００，３１７号、第４，９０９，８０３号（ＵＳＲＥ３４９２０として再発行）、第５，０８５，６５４号、第５，４９２，７５１号、第６，４７６，２８８号、及びＳＩＲ  Ｈ１６３０に記載されるものが挙げられる。
【００３５】
例えば、おむつ５０は、液体及びその他の身体滲出物の改善された収容を提供する１つ又はそれ以上の第１カフ５５０を包含してもよい。第１カフ５５０はまた、外側レッグカフ、レッグバンド、サイドフラップ、レッグカフ、又は伸縮性カフと呼ばれる場合もある。米国特許第３，８６０，００３号は、伸縮性レッグカフを提供するために、サイドフラップ及び１つ又はそれ以上の伸縮性部材を有する収縮性の脚用開口部を提供する使い捨ておむつを記載する。
【００３６】
更に、おむつ５０は、液体及びその他の身体滲出物の改善された収容をまた提供する、１つ又はそれ以上の第２カフ５１１を包含してもよい。第２カフ５１１はまた、障壁レッグカフ、内側レッグカフ、又は「立ち上がり」伸縮性フラップと呼ばれる場合もある。米国特許第４，８０８，１７８号及び第４，９０９，８０３号（アジズ（Aziz）ら、それぞれ１９８９年２月２８日及び１９９０年３月２０日発行）は、レッグ領域の収容を改善する「立ち上がり」伸縮性フラップを有する使い捨ておむつを記載する。
【００３７】
第１カフ５５０及び第２カフ５１１は、米国特許第４，６９５、２７８号及び第４，７９５，４５４号（それぞれローソン（Lawson）、１９８７年９月２２日発行、及びドラグー（Dragoo）、１９８９年１月３日発行）に例示されるように、両方共が二重カフの方式で提供されてもよい。
【００３８】
１９９７年１月７日に公開された、米国法定発明登録（US Statutory Invention Registration）Ｈ１６３０に詳細に記載されるように、追加的カフ５１２が、本発明の物品に提供されてもよい。
【００３９】
図２は、少なくとも１つ又はそれ以上の第１カフ及び第２カフを包含する本発明によるおむつの斜視図を示し、カフの少なくとも１つは、疎水性表面コーティングをコーティングされている。
【００４０】
図３は、図２に示されるおむつの断面図を描いている。特定の実施形態では、第２カフは、第１カフ上に疎水性コーティングが使用されているので、必ずしも必要ではない。
【００４１】
伸縮性ウエスト機構は、好ましくは、米国特許第第４，５１５，５９５号、第５，０２６，３６４号、及び第５，１５１，０９２号に記載されるものが挙げられる、多数の異なる構成に作成されてもよい伸縮性ウエストバンド（図示されず）を具備する。おむつ又は吸収性物品のこのウエストバンド又はベルトは、誕生後の期間は敏感になりやすい乳児の臍に支障なく設置できるように、何らかの種類の切り抜きを包含してもよい。好ましくは、この切り抜きは半円の形状であるが、乳児の臍に快適に適合できるいずれの幾何学的図形であってもよい。
【００４２】
伸縮性サイドパネルは、多数の構成において作成されてもよい。おむつの耳（ears）（又は耳フラップ）に位置付けられる伸縮性サイドパネルを有するおむつの例は、米国特許第４，８５７，０６７号、第４，３８１，７８１号、第４，９３８，７５３号、及び第５，１５１，０９２号に開示される。
【００４３】
代表的な締着装置５７０は、米国特許第４，８４６，８１５号、第４，８９４，０６０号、第４，９４６，５２７号、第３，８４８，５９４号、第４，６６２，８７５号、及び第５，１５１，０９２号に開示される。
【００４４】
（疎水性表面コーティング）
本発明の使い捨て吸収性物品は更に、これらに限定されないが、コアカバー、おむつ外カバー、耳（ear）、羽根、ベルト、バックシート、第１カフ、第２カフ、及び更にこれらの組み合わせが挙げられる、物品の様々な構成要素の１つ又はそれ以上の少なくとも１つの表面上に配置される疎水性表面コーティングを具備する。この疎水性表面コーティングは、１以上のシリコーンポリマーを含み、及びまたアミノシリコーンを実質的に含まない。
【００４５】
好適なシリコーンポリマーは、シリコーンＭＱ樹脂、ポリジメチルシロキサン（polydimethysiloxanes）、架橋シリコーン、シリコーン液体エラストマー、及びこれらの組み合わせから成る群から選択される。典型的には、こうしたシリコーンポリマーの分子量は、少なくとも約４０００ＭＷ、好ましくは少なくとも約１０，０００ＭＷ、より好ましくは少なくとも約１５，０００ＭＷ、更により好ましくは少なくとも約２０，０００ＭＷ、及び最も好ましくは少なくとも約２５，０００ＭＷであるべきである。好ましいポリジメチルシロキサンは、ビニル末端ポリジメチルシロキサン（vinyl-terminated polydimethsiloxanes）、メチルヒドロジェンジメチルシロキサン、ヒドロキシル末端ポリジメチルシロキサン（hydroxyl-terminated polydimethysiloxanes）、有機変性ポリジメチルシロキサン(organo-modified polydimethylsiloxanes)、及びこれらの組み合わせから成る群から選択される。
【００４６】
あるいは、フッ素化ポリマーをまた用いてもよい。好適なフッ素化ポリマーは、テトラフルオロエチレン及び／又はペルフルオロアルキル鎖を含有するテロマー及びポリマーから成る群から選択される。例えば、デュポン（Dupont）から商品名ゾニル（Zonyl）（登録商標）として市販されるフッ素化界面活性剤は、本明細書に用いるのに好適である。特に、ゾニル（Zonyl）（登録商標）３２１、３２９、８７４０、９０２７、及び９３６０は、本発明に用いるのによく適している。更に、マイクロパウダーのようなフッ素系添加物（fluroadditives）を包含する他のゾニル（Zonyl）（登録商標）材料は本明細書において有用である場合がある。これらには、ゾニル（Zonyl）（登録商標）ＭＰ１１００、ＭＰ１２００、ＭＰ１４００、ＭＰ１５００Ｊ、ＭＰ１６００Ｎ、ＴＥ−３６６７Ｎ（これは水分散性である）が挙げられるが、これらに限定されない。
【００４７】
理論によって制限されないが、出願人は、これらの疎水性表面コーティングが、様々な吸収性物品構成要素に適用される時、粘着性の均一なフィルム様の網状組織を繊維構造体の周囲に形成し、及び繊維構造体の網状組織の孔を部分的に充填するような方式で、構成要素の１つ又はそれ以上の繊維構造体を被覆又は少なくとも部分的にはコーティングする傾向があることを見出した。このフィルム様の網状組織は、特に低表面エネルギー流体に暴露された時、構成要素の障壁特性を高める役割を果たす。フィルム様の網状組織は、図４、５、及び６に図解されている。図４では、コーティングされていない１５ｇｓｍの繊維メルトブロー不織布が描かれている。図５では、図４の不織布が、ＧＥシリコーンズ（GE Silicones）から市販されるＰＳＡ９５０として既知の疎水性表面コーティングにより処置されている。ＰＳＡ９５０は、溶媒中のフェニルシロキサンである感圧性接着剤である。この場合、フィルム様網状組織は、不織布の繊維構造体の間に形成された。同様に図６では、図４のコーティングされていないメルトブローン不織布は、ダウ・コーニング（Dow Corning）から市販されるＣ２−０５６３布用防水剤（water repellant）として既知の疎水性表面コーティングによりコーティングされている。重ねて、フィルム様網状組織が、繊維の間及び不織布の孔の中に形成され、それによってその障壁特性を改善することは明らかである。
【００４８】
本発明の特定の実施形態では、コーティングは本質的にエラストマー性であってもよい。それ故に、吸収性物品構成要素の１つ又はそれ以上の表面上に付着された時、疎水性表面コーティングは、引き伸ばされた時に、伸び縮みする性質を物品構成要素に更に提供する場合がある。
【００４９】
更に、本発明は主として吸収性パーソナルケア物品を対象とすることが想定されるが、本明細書に開示された疎水性表面コーティングはまた他の目的に使用される基材上に配置されてもよいことは、容易に予測できる。例えば、処置された基材は、様々な手術又は医用素材（例えば、手術着、カーテン、靴カバー、及び帽子）、拭き取り布（例えば、車洗浄用、レンズ洗浄用、包装用、湿式洗浄用、及び埃用）、消費者用衣類などの製造に使用できる。
【００５０】
更には、コーティングが物品構成要素上に付着される時、構成要素が、ポリジメチルシロキサン、ゲルベ（guerbet）エステル、及びこれらの組み合わせから成る群から選択される融解添加物を含有するポリマーを実質的に含まないことが好ましいことに注意することが重要である。
【００５１】
（試験方法）
（液体裏抜け）
コーティングされた基材の障壁性能は、基材表面に添加された液体が基材表面を貫通する時間を測定することによって決定される。試験方法は、次の変更と共に、リスターＳＮＬ５７２５モデル１９９８（Lister SN L5725 Model 1998）を用いるエダナ（Edana）法１５０．４−９９に準拠する：
１．対照の吸収性パッドは、エンプリカル製造会社（Empirical Mfg.Co.,Inc.）（５１３−９４８−１６１６オハイオ州シンシナティ）により供給される濾紙（１００ｍｍ×１００ｍｍアールストロム（Ahlstrom）等級９８９）の１０層から成る。
【００５２】
２．およそ３２±ｍＮ／ｍの表面張力を有する、０．０４％（重量／体積）トリトン−Ｘ−１００（tRiton-X-100）（ＣＡＳ＃９００２−９３−１）水溶液から成る、模擬の流れやすい糞便／尿の流体混合物。
【００５３】
３．各試験開始前及び各反復試験の間に、リスター（Lister）電極は、０．９％ＮａＣｌ水溶液によりすすがれる。
【００５４】
平均の液体裏抜けは、合計時間を試験される構成要素サンプルの数で割ることにより決定される。典型的には、サンプル数は約３０であり、即ちｎ＝３０である。
【００５５】
結果である液体裏抜け時間の増加を決定するために、コーティングされたサンプル対コーティングされていない（又は処置されていない）サンプルの平均の液体裏抜け時間の比較が行われる。
【実施例】
【００５６】
実施例１
本発明の疎水性表面コーティングは、コーティングが基材上に付着されるように、３０：１の比のビニル末端ポリジメチルシロキサンとメチルヒドロジェンポリジメチルシロキサンとの水性混合物を噴霧する、浸漬する、又はキスロールプロセスを使用することにより調製される。この実施例で用いられる基材の不織布は、１３ｇｓｍ、１５ｇｓｍ、１７ｇｓｍ、２０ｇｓｍ、３０ｇｓｍ、及び３４ｇｓｍのスパン／メルト／スパンのポリプロピレン不織布、並びに１５ｇｓｍ及び２０ｇｓｍのメルトポリプロピレン不織布であったが、これらは様々な供給元から市販されている。水性混合物はまた、ＰＤＭＳポリマーの自己架橋を促進するために、遷移金属触媒を含有する。湿式コーティングされた基材は、サンプルが工業用又は実験室用コーティングプロセスを介してコーティングされたかどうかに依存して９０℃〜１２０℃で０．１〜１．０分間乾燥され、次いで、後の使用のために好適な容器中に貯蔵される。
【００５７】
実施例２
疎水性表面コーティングにより処置された、不織布のおむつのカフ構成要素が調製される。ビニル末端ＰＤＭＳ（ＧＥシリコーンズ（GE Silicones）からＳＭ３２００として市販される）とメチルヒドロジェンＰＤＭＳ（ＧＥシリコーンズ（GE Silicones）からＳＭ３０１０として市販される）との１０％溶液が調製され、３０分間混合される。典型的なカフ構成要素（米国特許第５，４９２，７５１号に詳細に記載されるように、スパン−メルト不織布）がこの溶液中に浸漬され、及び過剰の液体がカレンダーロールを介して絞り出され、及びコーティングが基材上に付着されるように、９０℃〜１２０℃の温度で４５秒以下の時間、空気対流オーブン中で構成要素は乾燥される。カフ材料は、米国特許第３，８６０，００３号、第４，６３６，２０７号、第４，６９５，２７８号、第４，７０４，１１５号、第４，７９５，４５４号、第４，９００，３１７号、第４，９０９，８０３号（ＵＳＲＥ３４９２０として再発行）、第５，０８５，６５４号、第５，４９２，７５１号、第６，４７６，２８８号、及びＳＩＲ  Ｈ１６３０に詳細に記載されるように、おむつの中に組み込まれる。
【００５８】
実施例３
疎水性表面コーティングにより処置された、不織布のおむつのカフ及び／又はバックシート構成要素が調製される。ヒドロキシル末端ＰＤＭＳ（ＧＥシリコーンズ（GE Silicones）からＳＭ２２４５として市販される）とメチルヒドロジェンＰＤＭＳ（ＧＥシリコーンズ（GE Silicones）からＳＭ２０１４ｃとして市販される）との１０％溶液が調製され、３０分間混合される。米国特許第５，４９２，７５１号に詳細に記載されるように、スパン−メルト不織布から構成される、カフ及び／又はバックシート構成要素は、この溶液中に浸漬され、及び過剰の液体がカレンダーロールを介して絞り出され、及びコーティングが基材上に付着されるように、９０℃〜１２０℃の温度で４５秒以下の時間、空気対流オーブン中で構成要素は乾燥され、並びに米国特許第３，８６０，００３号、第４，６３６，２０７号、第４，６９５，２７８号、第４，７０４，１１５号、第４，７９５，４５４号、第４，９００，３１７号、第４，９０９，８０３号（ＵＳＲＥ３４９２０として再発行）、第５，０８５，６５４号、第５，４９２，７５１号、第６，４７６，２８８号、及びＳＩＲ  Ｈ１６３０に詳細に記載されるように、おむつの中に組み込まれる。
【００５９】
「発明を実施するための最良の形態」で引用したすべての文献は、関連部分において本明細書に参考として組み込まれているが、どの文献の引用も、それが本発明に関する先行技術であるとの容認と解釈されるべきではない。
【００６０】
本発明の特定の実施形態について説明し記載したが、本発明の精神及び範囲から逸脱することなく他の様々な変更及び修正が可能であることが当業者には自明である。したがって、本発明の範囲内にあるそのようなすべての変更及び修正を、添付の特許請求の範囲で扱うものとする。
【図１】
2010137062.tif 000003
【図２】
2010137062.tif 000004
【図３】
2010137062.tif 000005
【図７】
2010137062.tif 000006
【図４】
2010137062.tif 000007
【図５】
2010137062.tif 000008
【図６】
2010137062.tif 000009